(57)【要約】【課題】  簡単な構成でかつ安価な製造コストで、額縁などの非表示領域を目立たなくさせることができるマルチディスプレイ装置を提供する。【解決手段】  画像を表示可能な液晶パネル２０と液晶パネル２０の表示面２０ａにおける表示領域Ｖ１を外囲するベゼル２１とを備える液晶表示装置１０を、平面的に複数並べて構成されるマルチディスプレイ装置１において、隣接する一対の表示領域Ｖ１間に挟まれる第１非表示領域Ｖ２には、一方の表示領域Ｖ１に臨み、かつ該一方の表示領域Ｖ１からの出射光Ａ１を反射する反射面３０と、他方の表示領域Ｖ１に臨み、かつ該他方の表示領域Ｖ１からの出射光Ａ１を反射する反射面３０とが形成され、反射面３０はそれぞれ、表示領域Ｖ１からの出射光Ａ１を、該表示領域Ｖ１と対を成す他の表示領域Ｖ１側へ向けて反射するような傾斜面によって構成されている。【選択図】      図３
2012145843.tif 000002
【特許請求の範囲】
【請求項１】
画像を表示可能な表示面を有する表示パネルと、該表示パネルの表示面における表示領域を外囲する額縁とを備える複数の画像表示装置を含み、各画像表示装置を平面的に並べて配置することによって構成されるマルチディスプレイ装置であって、
隣接する一対の表示領域間に挟まれる非表示部分を有し、該非表示部分には、一方の表示領域に臨み、かつ該一方の表示領域からの出射光を反射する反射面と、他方の表示領域に臨み、かつ該他方の表示領域からの出射光を反射する反射面とが形成され、
前記反射面はそれぞれ、表示領域からの出射光を、該表示領域と対を成す他の表示領域側へ向けて反射するような傾斜面によって構成されていることを特徴とするマルチディスプレイ装置。
【請求項２】
前記反射面は、隣接する一対の表示領域間に配置される各額縁にそれぞれ形成されていることを特徴とする請求項１に記載のマルチディスプレイ装置。
【請求項３】
隣接する一対の表示領域間に配置される額縁に対して取付可能な取付部材を含み、
前記各反射面は、該取付部材に形成されていることを特徴とする請求項１に記載のマルチディスプレイ装置。
【請求項４】
前記各反射面は、前記非表示部分に沿って延びる平坦な面であり、前記表示面に対する傾斜角が、３０度以上４５度以下となるように形成されていることを特徴とする請求項１〜３のいずれか１つに記載のマルチディスプレイ装置。
【請求項５】
前記各反射面は、前記非表示部分に沿って延びる湾曲した面であり、該非表示部分が延びる方向に垂直な仮想一平面で切断したとき、近接する表示領域から該表示領域と対を成す他の表示領域に向かうにつれて、前記表示面に対する傾斜角が連続的に増大する曲線となるように形成されていることを特徴とする請求項１〜３のいずれか１つに記載のマルチディスプレイ装置。
【請求項６】
前記各反射面は、前記曲線が放物線となるように形成されていることを特徴とする請求項５に記載のマルチディスプレイ装置。
【請求項７】
前記反射面は、濃灰色を呈するように形成されていることを特徴とする請求項１〜６のいずれか１つに記載のマルチディスプレイ装置。
【発明の詳細な説明】
【技術分野】
【０００１】
本発明は、複数の表示パネルを隣接して配置し、１つの大画面を構成するマルチディスプレイ装置に関する。
【背景技術】
【０００２】
近年、インフォメーションディスプレイおよび業務用ディスプレイとして、画像を表示可能な表示パネルを備える画像表示装置を、複数台縦横に隣接して配置することによって、全体として１つの大きな画像を表示可能なマルチディスプレイ装置が用いられるようになっている。
【０００３】
マルチディスプレイ装置は、複数の表示パネルを平面的に隣接して縦横に並べて配置することで１つの大形の画面を容易に構築することができる反面、各画像表示装置間の継目部分には、ベゼルとも称される額縁が配置されるため、画像を表示することができない領域（以下、「非表示領域」と称する）が形成されることになる。この非表示領域により、マルチディスプレイ装置で表示される大形の画面は、格子状の線が入ったように見えてしまい、表示される画像の品位が低下してしまうという問題がある。
【０００４】
このような問題を解決するための従来技術は、たとえば特許文献１に提案されている。特許文献１に記載される従来技術では、映像表示部と映像表示部の外周に設けられた非表示部とを有する平面型ディスプレイによって構成されるマルチディスプレイ装置において、映像表示部の外周部と該外周部に隣接する非表示部の両部分を跨ぎ、かつ映像表示部の外周辺に平行になるように、シリンドリカルレンズをその上面（または下面）に対して垂直な方向に略均等に４分割した形状を成した光学要素を配置することが提案されている。
【０００５】
この特許文献１に記載される従来技術は、映像表示部の周縁部から発せられる光を、その周縁部を覆うシリンドリカルレンズによって屈折させることで非表示部側へ導き、非表示部を見えないようにするものである。しかしながら、このような従来技術では、映像表示部の周縁部がシリンドリカルレンズによって覆われてしまうため、映像表示部の周縁部における画像の品位が低下してしまうという問題がある。
【先行技術文献】
【特許文献】
【０００６】
【特許文献１】特開２００９−１６２９９９号公報
【発明の概要】
【発明が解決しようとする課題】
【０００７】
本発明の目的は、簡単な構成でかつ安価な製造コストで、額縁などの非表示領域を目立たなくさせることができるマルチディスプレイ装置を提供することである。
【課題を解決するための手段】
【０００８】
本発明は、画像を表示可能な表示面を有する表示パネルと、該表示パネルの表示面における表示領域を外囲する額縁とを備える複数の画像表示装置を含み、各画像表示装置を平面的に並べて配置することによって構成されるマルチディスプレイ装置であって、
【０００９】
隣接する一対の表示領域間に挟まれる非表示部分を有し、該非表示部分には、一方の表示領域に臨み、かつ該一方の表示領域からの出射光を反射する反射面と、他方の表示領域に臨み、かつ該他方の表示領域からの出射光を反射する反射面とが形成され、
【００１０】
前記反射面はそれぞれ、表示領域からの出射光を、該表示領域と対を成す他の表示領域側へ向けて反射するような傾斜面によって構成されていることを特徴とするマルチディスプレイ装置である。
【００１１】
また本発明は、前記反射面は、隣接する一対の表示領域間に配置される各額縁にそれぞれ形成されていることを特徴とする。
【００１２】
また本発明は、隣接する一対の表示領域間に配置される額縁に対して取付可能な取付部材を含み、
前記各反射面は、該取付部材に形成されていることを特徴とする。
【００１３】
また本発明は、前記各反射面は、前記非表示部分に沿って延びる平坦な面であり、前記表示面に対する傾斜角が、３０度以上４５度以下となるように形成されていることを特徴とする。
【００１４】
また本発明は、前記各反射面は、前記非表示部分に沿って延びる湾曲した面であり、該非表示部分が延びる方向に垂直な仮想一平面で切断したとき、近接する表示領域から該表示領域と対を成す他の表示領域に向かうにつれて、前記表示面に対する傾斜角が連続的に増大する曲線となるように形成されていることを特徴とする。
【００１５】
また本発明は、前記各反射面は、前記曲線が放物線となるように形成されていることを特徴とする。
【００１６】
また本発明は、前記反射面は、濃灰色を呈するように形成されていることを特徴とする。
【発明の効果】
【００１７】
本発明によれば、画像表示装置を複数台平面的に並べて構成されるマルチディスプレイ装置において、簡単な構成でかつ安価な製造コストで、額縁などの非表示領域を目立たなくさせることができる。
【図面の簡単な説明】
【００１８】
【図１】本発明の一実施形態に係るマルチディスプレイ装置１を示す斜視図である。
【図２】図１の切断面線ＩＩ−ＩＩから見た断面図である。
【図３】本発明の一実施形態に係るマルチディスプレイ装置１において、隣接する一対の表示領域Ｖ１間に配置される一対のベゼル２１付近を拡大して示す斜視図である。
【図４】隣接する一対の液晶表示装置１０において、隣接する一対のベゼル２１にそれぞれ形成される反射面３０と、各液晶表示装置１０の表示面２０ａとの関係を説明するための模式図である。
【図５】本発明の一実施形態に係るマルチディスプレイ装置１における反射面３０の作用を説明するための図である。
【図６】従来技術に係るマルチディスプレイ装置１００を比較例として示す図である。
【図７】本発明の一実施形態に係るマルチディスプレイ装置１における画像の表示状態を示す正面図である。
【図８】図６に示すマルチディスプレイ装置１００における画像の表示状態を示す正面図である。
【図９】本発明の他の実施形態に係るマルチディスプレイ装置１Ａにおいて、隣接する一対の表示領域Ｖ１間に配置される一対のベゼル２１Ａ付近を拡大して示す斜視図である。
【図１０】本発明のさらに他の実施形態に係るマルチディスプレイ装置１Ｂにおいて、隣接する一対のベゼル２１にそれぞれ形成される反射面３０Ｂと、各液晶表示装置１０の表示面２０ａとの関係を説明するための模式図である。
【発明を実施するための形態】
【００１９】
図１は、本発明の一実施形態に係るマルチディスプレイ装置１を示す斜視図である。図２は、図１の切断面線ＩＩ−ＩＩから見た断面図である。
【００２０】
マルチディスプレイ装置１は、画像情報に応じた画像を表示可能な表示パネルである液晶パネル２０をそれぞれ備える複数台の液晶表示装置１０を、各液晶パネル２０がマトリクス状にまたは一方向に沿って平面的に並ぶように、互いに近接させて配置することによって構成され、各液晶表示装置１０に対し、１つの画像を液晶パネル２０の配置に応じて分割した分割画像の画像情報を与えることによって、複数の液晶パネル２０が全体として前記１つの画像を表示することができるように構成されている。
【００２１】
本実施形態に係るマルチディスプレイ装置１では、マルチディスプレイ装置１を構成する画像表示装置として液晶表示装置１０が用いられているが、画像表示装置としては、画像を表示可能な表示パネルと、後述するように、その表示パネルにおける画像の表示領域を外囲する額縁とを備えるものであれば、液晶表示装置１０に限らず、たとえば、自発光型の表示パネルであるプラズマディスプレイパネル（Plasma Display Panel）を備えるプラズマディスプレイ装置、および自発光型の表示パネルである有機ＥＬ（Electroluminescence）パネルを備える有機ＥＬディスプレイ装置などであってもよい。
【００２２】
また、図１に示すように、本実施形態に係るマルチディスプレイ装置１では、４台の液晶表示装置１０を、縦横２×２のマトリクス状に並ぶように配置して構成されているが、他の実施形態では、たとえば１６台の液晶表示装置１０を、縦横４×４のマトリクス状に並ぶように配置して構成してもよく、一方向に沿って３台の液晶表示装置１０が並ぶように配置して構成してもよい。
【００２３】
以下、マルチディスプレイ装置１を構成する液晶表示装置１０の構成について説明する。液晶表示装置１０は、非発光型の表示パネルである矩形平板状の液晶パネル２０と、額縁であるベゼル２１と、液晶パネル２０の背面側に設けられ、光源２２ｂを備えるバックライトユニット２２と、液晶パネル２０とバックライトユニット２２との間に設けられる複数の光学部材２３と、フレーム２４とを含み、バックライトユニット２２に備えられる光源２２ｂから出射される光によって、与えられる画像情報に応じた画像を、液晶パネル２０の厚み方向一方側の面であって、光源２２ｂに臨む側とは反対側の面（以下、「表示面」と称する）２０ａに表示可能に構成されている。
【００２４】
液晶パネル２０は、横長な矩形状に形成された一対の透光性を有するガラス製の基板と、その一対の基板間に、電界印加に伴って光学特性が変化する物質である液晶分子を封入することによって形成された液晶層とを備え、液晶層の厚さ分のギャップを維持した状態で、一対の基板がシール剤によって貼り合わせられることによって構成されている。矩形状の液晶パネル２０は、たとえば液晶表示装置１０の画面サイズが６０インチの場合、短辺の寸法が７５０ｍｍ程度であり、長辺の寸法が１３００ｍｍ程度である。
【００２５】
一対の基板のうち、一方の基板はＣＦ（Color Filter）基板であり、他方の基板はＴＦＴ（Thin Film Transistor）基板である。ＴＦＴ基板には、液晶層に臨む内面側に、スイッチング素子であるＴＦＴおよび画素電極が多数個並んで設けられるとともに、これらＴＦＴおよび画素電極の周りには、格子状をなすゲート配線およびソース配線が取り囲むようにして配設されている。画素電極は、ＩＴＯ（Indium Tin Oxide）またはＺｎＯ（Zinc Oxide）といった透明電極からなる。
【００２６】
一方、ＣＦ基板には、液晶層に臨む内面側に、各画素に対応した位置に多数個のカラーフィルタが並んで設けられている。カラーフィルタは、Ｒ（red），Ｇ（green），Ｂ（blue）の三色のサブピクセルが交互に並ぶ配置とされる。各カラーフィルタ間には、混色を防ぐための遮光層（ブラックマトリクス）が形成されている。カラーフィルタおよび遮光層の表面には、ＴＦＴ基板側の画素電極と対向する対向電極が設けられている。また、各基板の前記内面側には、液晶層に含まれる液晶分子を配向させるための配向膜がそれぞれ形成され、各基板の内面側とは反対側の外面側には、偏光板がそれぞれ貼り付けられている。
【００２７】
液晶パネル２０は、与えられる画像情報に応じた電圧を、ＣＦ基板の画素電極およびＴＦＴ基板の対向電極に印加し、液晶層に電界を印加することで、液晶層を通過する光の偏光状態を変えることにより、ＣＦ基板に設けられる偏光板を透過する光の光量を制御することができる。
【００２８】
バックライトユニット２２は、一方に開口した略箱型に形成されるバックライトシャーシ２２ａと、バックライトシャーシ２２ａに収容される光源２２ｂと、バックライトシャーシ２２ａ内に敷設される図示しない反射シートとを備える。
【００２９】
バックライトシャーシ２２ａは、金属製であり、液晶パネル２０と同様の横長な矩形状に形成された底板と、該底板の周縁部から立ち上がる側板とによって、一方に開口した略箱型に形成されている。
【００３０】
光源２２ｂは、バックライトシャーシ２２ａにおける底板の内面に設置され、光を出射して、液晶パネル２０を照明する。本実施形態では、光源２２ｂは、複数のＬＥＤ（Light Emitting Diode）ランプを、底板の内面上にマトリクス状に配置することによって直下型のＬＥＤバックライトとして構成され、各ＬＥＤランプを個別に制御することによって、エリアごとに光量の制御ができるように構成されている。光源２２ｂは、このような構成に限らず、たとえばエッジライト型のＬＥＤバックライトとして構成されてもよく、冷陰極管を並設することによって構成されてもよい。
【００３１】
反射シートは、光の反射性に優れた白色を呈する合成樹脂製であり、バックライトシャーシ２２ａにおける底板の内面、および側板に装着されるフレーム２４の内面を覆うように敷設される。この反射シートにより、光源２２ｂから出射した光の殆どを、バックライトシャーシ２２ａの開口側へ導くことができる。
【００３２】
光学部材２３は、光学シート４０と、拡散板４１とを含んで構成される。光学シート４０は、本実施形態では、２枚の光学シート４０ａおよび光学シート４０ｂによって構成される。光学シート４０は、表示画質を向上させるための種々の機能が付与された機能性樹脂シートから成る。たとえば、拡散板４１を介して背面側から到達した光の進行の向きを、前面側に向ける機能を有する。
【００３３】
拡散板４１は、光源２２ｂから発せられた光を、面方向に拡散することによって、輝度が局所的に偏ることを防止する。拡散板４１では、輝度が面方向に偏ることを防ぐために、光の進行方向は、ベクトル成分として、面方向の成分を多く含む。これに対し光学シート４０は、面方向のベクトル成分を多く含む光の進行方向を、厚み方向の成分を多く含む光の進行方向に変換する。具体的には、光学シート４０は、レンズまたはプリズム状に形成される部分が面方向に多数並んで形成され、これによって、厚み方向に進行する光の拡散度を小さくする。
【００３４】
フレーム２４は、樹脂製であり、大略的に筒状であって、バックライトシャーシ２２ａにおける側板の内面を覆うような形状に形成されている。フレーム２４は、該側板に装着され、ビスなどの締結具によって、側板に対して固定される。
【００３５】
ベゼル２１は、矩形枠状に形成され、液晶パネル２０の矩形状の表示面２０ａにおける矩形枠状の周縁領域を上方から覆うように設けられる。以下、液晶パネル２０の表示面２０ａにおいて、ベゼル２１に覆われずに、外部に露出している矩形状の領域を、「表示領域」と称する。すなわち、ベゼル２１は、表示領域Ｖ１を外囲している部材である。この表示領域Ｖ１には、与えられる画像情報に応じた分割画像が表示される。
【００３６】
したがって、マルチディスプレイ装置１を正面（すなわち、表示面２０ａに対向する側）から見たとき、平面的に並んで配置される各表示領域Ｖ１によって挟まれる領域には、各液晶表示装置１０のベゼル２１の表面が露出し、画像を表示することができない。このように、マルチディスプレイ装置１を正面から見たとき、画像を表示することができない領域を、「非表示領域」と称する。
【００３７】
この非表示領域には、各表示領域Ｖ１によって挟まれる領域（以下、「第１非表示領域」と称する）Ｖ２だけでなく、全ての表示領域Ｖ１および第１非表示領域Ｖ２を外囲する矩形枠状の領域（以下、「第２非表示領域」と称する）も含まれる。
【００３８】
図３は、本実施形態に係るマルチディスプレイ装置１において、隣接する一対の表示領域Ｖ１間に配置される一対のベゼル２１付近を拡大して示す斜視図である。図３では、隣接する一対の液晶表示装置１０の構造を簡略化して示している。図４は、隣接する一対の液晶表示装置１０において、隣接する一対のベゼル２１にそれぞれ形成される反射面３０と、各液晶表示装置１０の表示面２０ａとの関係を説明するための模式図である。
【００３９】
本実施形態に係るマルチディスプレイ装置１を構成する液晶表示装置１０のベゼル２１には、当該液晶表示装置１０の表示領域Ｖ１に臨み、かつ、画像の表示状態において表示領域Ｖ１におけるベゼル２１近傍の領域（以下、「縁領域」と称する）Ｖ１１から出射される出射光Ａ１を反射する反射面３０が形成されている。
【００４０】
すなわち、液晶表示装置１０を並べてマルチディスプレイ装置１を構成したとき、隣接する一対の液晶表示装置１０において、隣接する一対の表示領域Ｖ１間に挟まれる第１非表示領域Ｖ２には、各液晶表示装置１０のベゼル２１が配置され、一方の液晶表示装置１０のベゼル２１は、その一方の液晶表示装置１０の表示領域Ｖ１に臨み、かつその表示領域Ｖ１の縁領域Ｖ１１からの出射光Ａ１を反射する反射面３０を有し、また他方の液晶表示装置１０のベゼル２１は、その他方の液晶表示装置１０の表示領域Ｖ１に臨み、かつその表示領域Ｖ１の縁領域Ｖ１１からの出射光Ａ１を反射する反射面３０を有している。
【００４１】
本実施形態では、ベゼル２１に形成される反射面３０は、図４に示すように、表示領域Ｖ１における縁領域Ｖ１１からの出射光Ａ１を、その表示領域Ｖ１と対を成す他方の表示領域Ｖ１側へ向けて反射するような傾斜面によって形成され、具体的には、ベゼル２１に沿って延びる平坦な面であり、表示面２０ａに対して成す傾斜角θ［度］が、３０≦θ≦４５を満足するように形成されている。
【００４２】
また、ベゼル２１は、反射面３０が、濃灰色を呈するように形成されている。このような反射面３０は、具体的には、濃灰色の塗料を蒸着させることによって形成してもよく、また、濃灰色の合成樹脂によりベゼル２１を成型することによって形成してもよい。ここで、濃灰色とは、予め定める範囲の無彩色であり、たとえば日本工業規格（ＪＩＳ  Ｚ８７２９）によるＣＩＥ１９７６（Ｌ＊ａ＊ｂ＊）表色系表示で、Ｌ＊値が、３０−５０の範囲であり、ａ＊＝ｂ＊＝０を満足する色である。
【００４３】
以下、本実施形態に係るマルチディスプレイ装置１における反射面３０の作用を説明する。図５は、本実施形態に係るマルチディスプレイ装置１における反射面３０の作用を説明するための図である。図６は、比較例を示す図であり、具体的には、反射面３０が形成されていない従来のベゼル１２１を備える液晶表示装置によって構成されるマルチディスプレイ装置１００を例に挙げて示している。
【００４４】
本実施形態に係るマルチディスプレイ装置１では、図５に示すように、隣接する一対の液晶表示装置１０において、第１非表示領域Ｖ２に配置される一対のベゼル２１に、前述するような反射面３０が形成されているので、一方のベゼル２１の反射面３０で反射した反射光Ａ２を他方のベゼル２１側に、かつ、前記他方のベゼル２１の反射面３０で反射した反射光Ａ２を前記一方のベゼル２１側に、回り込ませることができる。
【００４５】
各反射面３０の傾斜角θは、大きくするほど反射面３０へ入射される出射光Ａ１の光量を増大させることができるが、あまり傾斜角θを大きくすると、すなわち隣接する一対の反射面３０の成す角度φ［度］が鋭角になってしまうと、回り込む反射光Ａ２の光量が減少してしまい、後述する光の回り込みによる効果が低減してしまう。そこで、反射面３０は、傾斜角θが３０≦θ≦４０（換言すれば、１００≦φ≦１２０）を満足するように形成することが好ましい。また、ベゼル２１は、６ｍｍ程度までの幅寸法に形成された狭額縁であることが好ましい。
【００４６】
このように、それぞれの反射光Ａ２を回り込ませることによって、隣接する一対のベゼル２１の上方の空間Ｓにおいて、光量を密にすることができ、各反射面３０で反射した反射光Ａ２どうしを干渉させることができる。そして、前記一対のベゼル２１の上方の空間Ｓで光量を増加させることで、当該一対のベゼル２１の上方に、あたかもベゼル２１に沿って延びる線状光源が設けられているかのような状態を実現することができる。このような状態が実現されることにより、正面側からマルチディスプレイ装置１の表示画面を視認する観察者に対し、当該一対のベゼル２１が認識されないようにすることができる。
【００４７】
これに対し、反射面３０が形成されていない従来のベゼル１２１を備える液晶表示装置によって構成されるマルチディスプレイ装置１００では、図６に示すように、隣接する一対のベゼル１２１の上方の空間Ｓにおいて、光量が疎の状態である。したがって、この従来技術に係るマルチディスプレイ装置１００では、本実施形態のように、正面側からマルチディスプレイ装置１００の表示画面を視認する観察者に対して、当該一対のベゼル１２１が認識されないようにすることができない。
【００４８】
図７は、本実施形態に係るマルチディスプレイ装置１における画像の表示状態を示す正面図である。また、図８は、図６に示すマルチディスプレイ装置１００における画像の表示状態を示す正面図である。
【００４９】
従来技術に係るマルチディスプレイ装置１００では、図８に示すように、正面側からマルチディスプレイ装置１００の表示画面を視認する観察者によって、第１非表示領域Ｖ２の存在によって分割画像が途切れてしまう部分に、格子状の線Ｌが視認されていた。これに対し、本実施形態に係るマルチディスプレイ装置１では、隣接する一対のベゼル２１の上方の空間Ｓで光量を増加させることができるので、図７に示すように、第１非表示領域Ｖ２に基づく格子状の線Ｌを目立たなくさせることができる。これにより、マルチディスプレイ装置１全体に表示される画像の品位が低下してしまうことを防止することができる。
【００５０】
このように、本実施形態によれば、ベゼル２１に所定の傾斜角θを有する反射面３０を形成するという簡単な構成でかつ安価な製造コストで、ベゼル２１が配置される第１非表示領域Ｖ２を目立たなくさせることができ、マルチディスプレイ装置１全体に表示される画像の品位が低下してしまうことを防止することができる。
【００５１】
また、本実施形態によれば、反射面３０が前述するような濃灰色を呈するように形成されているので、反射面３０近傍の縁領域Ｖ１１における表示色が明るい場合には光量により埋没し、表示色が暗い場合には周囲色に埋没するため、第１非表示領域Ｖ２を目立たなくさせることができる。
【００５２】
図９は、本発明の他の実施形態に係るマルチディスプレイ装置１Ａにおいて、隣接する一対の表示領域Ｖ１間に配置される一対のベゼル２１Ａ付近を拡大して示す斜視図である。本実施形態に係るマルチディスプレイ装置１Ａは、前述する実施形態に係るマルチディスプレイ装置１と略同一に構成されているので、対応する部分についてはそれぞれ同一の参照符を付し、重複する説明を省略する。
【００５３】
本実施形態に係るマルチディスプレイ装置１Ａは、前述の反射面３０が形成されていないベゼル２１Ａを備える複数台の液晶表示装置１０Ａを平面的に並ぶように、互いに近接させて配置し、隣接する一対のベゼル２１Ａの上面部に、一対の反射面３０が形成される取付部材５０を設置することによって構成される。各液晶表示装置１０Ａのベゼル２１Ａは、上面部の幅寸法が６ｍｍ程度に形成され、また、上面と表示面２０ａとの段差は、３ｍｍ程度に形成されている。
【００５４】
取付部材５０は、アクリル樹脂などの合成樹脂によって、大略的に三角柱形状に形成された棒状体の反射部５１と、反射部５１に着脱可能な挟持部５２とを連結することによって構成され、前記一対の反射面３０は、反射部５１に形成されている。
【００５５】
反射部５１は、Ｖ字状を成して連接する一対の反射面３０と、各反射面３０に連接する設置面とを有し、一対の反射面３０および各設置面はいずれも、反射部５１の長手方向に沿って延びる平坦な面である。
【００５６】
反射部５１において、各設置面を有する底面部には、長手方向に垂直な幅方向の略中央部に、長手方向に沿って延びる溝部５３が形成されている。すなわち、各設置面は、溝部５３の幅方向の両側に形成されている。反射部５１は、底面部の設置面を、隣接する一対のベゼル２１Ａの上面部に当接させることによって設置される。底面部の幅方向の寸法は、複数台の液晶表示装置１０Ａを平面的に並ぶように配置したとき、隣接する一対の表示領域Ｖ１の離間距離に一致するような寸法に選択されている。
【００５７】
挟持部５２は、長尺に形成された長尺材であり、矩形板状の接続部と該接続部に連なる矩形板状の係合部とを有する。前記接続部と前記係合部とは直角に連なっており、挟持部５２は、長手方向に垂直な仮想一平面で切断したときの断面形状がＬ字状に形成されている。接続部において、係合部に連なる側とは反対側の端部には、反射部５１に形成される溝部５３に対して嵌合可能な接続端部が形成されている。
【００５８】
取付部材５０は、隣接する一対のベゼル２１Ａの上面部に設置された反射部５１の溝部５３に対して、挟持部５２の接続端部を嵌合させることによって、隣接する一対の液晶表示装置１０に取り付けられる。このとき、挟持部５２の接続部は、隣接する一対のベゼル２１Ａの各側部によって挟持される。
【００５９】
挟持部５２は、反射部５１の長さの全長にわたって延びていてもよく、また反射部５１の長さの全長より短い部材が複数接続されていてもよい。挟持部５２は、反射部５１と同様にアクリル樹脂から成ってもよく、あるいはポリ塩化ビニル、アルミニウム合金など、その他の材質によって構成されてもよい。
【００６０】
挟持部５２は、隣接する一対のベゼル２１Ａの上面部に設置された反射部５１へ連結されたとき、反射部５１の設置面と係合部とによって、ベゼル２１または液晶表示装置１０を挟持できるように、接続部の寸法が選択されている。取付部材５０は、このような構成によって、一対のベゼル２１Ａ上に確実に位置決めして保持することができる。
【００６１】
反射部５１における一方の反射面３０は、反射部５１を隣接する一対のベゼル２１Ａの上面部に設置したとき、一方の液晶表示装置１０の表示領域Ｖ１に臨み、かつその表示領域Ｖ１の縁領域Ｖ１１からの出射光Ａ１を、その表示領域Ｖ１と対を成す表示領域Ｖ１側へ向けて反射するような傾斜面によって形成され、また、反射部５１における他方の反射面３０は、他方の液晶表示装置１０の表示領域Ｖ１に臨み、かつその表示領域Ｖ１の縁領域Ｖ１１からの出射光Ａ１を、その表示領域Ｖ１と対を成す表示領域Ｖ１側へ向けて反射するような傾斜面によって形成されている。具体的には、各反射面３０は、反射部５１を隣接する一対のベゼル２１Ａの上面部に設置したとき、表示面２０ａに対して成す傾斜角θ［度］が、３０≦θ≦４５を満足するように形成されている。
【００６２】
このようにベゼル２１ではなく、取付部材５０に反射面３０を形成した場合であっても、前述する実施形態と同様の効果を達成することができる。
【００６３】
図１０は、本発明のさらに他の実施形態に係るマルチディスプレイ装置１Ｂにおいて、隣接する一対のベゼル２１にそれぞれ形成される反射面３０Ｂと、各液晶表示装置１０の表示面２０ａとの関係を説明するための模式図である。本実施形態に係るマルチディスプレイ装置１Ｂは、反射面３０Ｂの形状を除き、残余の構成については前述する実施形態と同一に構成されているので、対応する部分についてはそれぞれ同一の参照符を付し、重複する説明を省略する。
【００６４】
前述する実施形態では、いずれも反射面３０がベゼル２１に沿って延びる平坦な面として形成されていたが、本実施形態では、反射面３０Ｂは、ベゼル２１Ｂに沿って延びる湾曲した面によって形成されている。詳細には、図１０に示すように、ベゼル２１Ｂが延びる方向に垂直な仮想一平面で切断したとき、近接する表示領域Ｖ１から該表示領域Ｖ１と対を成す他の表示領域Ｖ１に向かうにつれて、前記表示面に対する傾斜角θが連続的に増大する曲線となるように形成されている。さらに詳細には、その曲線が、一対のベゼル２１Ｂが隣接している部分の上方に焦点Ｆが位置するような放物線Ｃの一部となるように形成されている。
【００６５】
このように、平坦な反射面３０ではなく、湾曲した反射面３０Ｂを形成した場合であっても、前述する実施形態と同様の効果を達成することができる。
【符号の説明】
【００６６】
１  マルチディスプレイ装置
１０  液晶表示装置
２０  液晶パネル
２０ａ  表示面
２１  ベゼル
３０  反射面
Ｖ１  表示領域
Ｖ２  非表示領域
【図１】
2012145843.tif 000003
【図２】
2012145843.tif 000004
【図３】
2012145843.tif 000005
【図４】
2012145843.tif 000006
【図５】
2012145843.tif 000007
【図６】
2012145843.tif 000008
【図７】
2012145843.tif 000009
【図８】
2012145843.tif 000010
【図９】
2012145843.tif 000011
【図１０】
2012145843.tif 000012